(57)【要約】【課題】  焼却時にダイオキシン等の有害物質の発生のおそれがなく、再利用もできて廃棄処理が容易であり、しかも十分な断熱性能を有していて空調装置の性能低下のおそれのない空調装置の外装パネルを提供する。【解決手段】  本発明に係る空調装置１の外壁パネル３は、対向する一対の板材７、８の間に再生紙等よりなる発泡紙により構成される内装部材９を充填し、内装部材９の外周縁部に一対の板材７、８により挟持されるようにポリスチレン樹脂等よりなる樹脂製縁材１０を設置したことを特徴とする。【選択図】  図２
2006242398.tif 000002
【特許請求の範囲】
【請求項１】
対向する一対の板材の間に発泡紙により構成される内装部材を充填し、該内装部材の外周縁部に前記一対の板材により挟持されるように樹脂製縁材を設置したことを特徴とする空調装置の外壁パネル。
【請求項２】
前記発泡紙は、再生紙を用いて形成されることを特徴とする請求項１に記載の空調装置の外壁パネル。
【請求項３】
前記樹脂製縁材は、ポリスチレン樹脂により形成されることを特徴とする請求項１または請求項２に記載の空調装置の外壁パネル。
【発明の詳細な説明】
【技術分野】
【０００１】
本発明は、対向する一対の板材の間に断熱材が充填された空調装置の外壁パネルに関するものである。
【背景技術】
【０００２】
従来より、外壁パネルの断熱性能を向上させるために、外壁パネルの外板と内板との間にウレタンやグラスウール等よりなる断熱材を充填させた空調装置が知られている（例えば、特許文献１参照）。
【特許文献１】特開２００３−１９４３６１号公報（段落［０００３］参照）
【発明の開示】
【発明が解決しようとする課題】
【０００３】
しかしながら、ウレタンやグラスウールは、燃焼した場合にフロンやダイオキシン等が発生する。このため、ウレタンやグラスウールを使用した外壁パネルは、産業廃棄物として処理する必要性が生じ、廃棄処理負担が増大するという問題があった。
【０００４】
また、再利用が可能であり、燃焼時にダイオキシン等が発生しない紙材を断熱材に用いた外壁パネルも考案されているが（特許文献１の請求項１参照）、ウレタンやグラスウールにより構成される断熱材に比べて断熱性能が劣ってしまうという問題があった。
【０００５】
本発明は上記問題に鑑みてなされたものであり、廃棄処理が容易であって、十分な断熱性能を有する空調装置の外装パネルを提供することを課題とする。
【課題を解決するための手段】
【０００６】
上記課題を解決するために、本発明に係る空調装置の外装パネルは、対向する一対の板材の間に発泡紙により構成される内装部材を充填し、該内装部材の外周縁部に前記一対の板材により挟持されるように樹脂製縁材を設置したことを特徴とする。
【０００７】
また、前記発泡紙は、再生紙を用いて形成されることが好ましい。
【０００８】
さらに、前記樹脂製縁材は、ポリスチレン樹脂により形成されていてもよい。
【発明の効果】
【０００９】
上記発明によれば、内装部材が発泡紙により構成されているので、発泡紙に含まれる多数の空気の気泡により十分な断熱性能を確保することができる。
【００１０】
また、内装部材として発泡紙を用いることによりリサイクル性を高めることができ、特に、再生紙を用いて発泡紙を形成することによって資源をより有効に活用することができる。
【００１１】
さらに、内装部材に発泡紙を用いることにより、燃焼処理時にフロンやダイオキシン等の有害物質が発生しないので、産業廃棄物として処理する必要がなく、廃棄処理負担の軽減を図ることが可能となる。特に、樹脂製縁材がポリスチレンである場合には、燃焼処理時に内装部材と一緒に樹脂製縁材を燃焼処理することができるので、廃棄処理がより簡易となる。
【００１２】
また、高い剛性を備えたポリスチレンよりなる樹脂製縁材を断熱材の周縁部に設置することによって、発泡紙に欠如する曲げ強度、圧縮強度を補完することができるので、発泡紙が充填された外装パネルの強度を十分に確保することができるとともに、外板と内板と間に充填される発泡紙の充填空間を、スペーサー等を設けずに容易に確保することができる。
【発明を実施するための最良の形態】
【００１３】
以下、本発明に係る空調装置の外装パネルについて、図面を用いて説明する。
【００１４】
図１に示すように、空調装置１は、直方体形状を呈するケーシング２と、ケーシング２内に収納される空調駆動部（図示省略）と備えている。
【００１５】
ケーシング２は、６面が外装パネル３により覆われており、正面パネル３ａの左右端部には、一対の開閉扉４ａ、４ｂが設けられている。それぞれの開閉扉４ａ、４ｂは、上部および下部に設置されたそれぞれ２つのハンドル５ａ，５ｂ、５ｃ，５ｄを回すことによって開閉することが可能となっている。
【００１６】
上面パネル３ｂの左右端部であって、開閉扉のほぼ上方には、２つの開口部６ａ、６ｂが形成されており、一方の開口部６ａは空調駆動部に導入される空気を迎え入れるための吸入口として利用され、他方の開口部６ｂは、空調駆動部により温度調整等された空気を排出するための吹出口として利用される。
【００１７】
空調駆動部は、吸入口より導入された空気を、必要に応じて暖房、冷房、除湿等行って吹出口より排出する役割を有している。
【００１８】
外装パネル３は、図２に示すように、ケーシング２の外側面を構成する外板７と、外板７に対向して設置されてケーシング２の内側面を構成する内板８と、外板７と内板８との間に充填される内装部材（コア材）９と、内装部材９の外周縁部に位置して外板７と内板８とに挟持されるようにして設置される樹脂製縁材１０とを有している。
【００１９】
外板７および内板８は、溶融55%アルミニウム-亜鉛合金めっきが鋼板に施されたガルバリウム鋼板であり、十分な耐久性・耐食性を備えている。
【００２０】
内装部材９は、発泡紙により形成されている。発泡紙は、５層構造のライナー原紙の中層に発泡剤を混抄し、抄紙機のドライヤーで加熱させることによって発泡剤を膨張させ、図３に示すように、無数の気泡１１を備える発泡層を形成した材料である。発泡紙は、無数の気泡１１に空気が蓄積されるため、軽量であると同時に高い断熱性能を有している。
【００２１】
表１は、代表的な材料の熱伝導率を示した表である。表１に示すように、発泡紙の熱伝導率０．０３６［Ｗ／ｍ・ｋ］は、紙だけの場合の熱伝導率０．０６、グラスウール１０Ｋの熱伝導率０．０５［Ｗ／ｍ・ｋ］よりも優れ、硬質ウレタンフォームの熱伝導率０．２６［Ｗ／ｍ・ｋ］に次ぐ断熱性能を有している。
【表１】
2006242398.tif 000003
【００２２】
また、発泡紙は紙を発泡させることによって形成されているので、紙と同じように可燃性であり、燃焼処分時にダイオキシン等の有害物質が発生しないという特徴を有している。さらに、発泡紙は、再生紙に再利用することもでき、また再生紙を利用して発泡紙を形成することも可能であるため、リサイクル性に優れるという利点を有している。本実施例においては、再生紙を用いて形成された発泡紙が用いられている。
【００２３】
樹脂製縁材１０は、ポリスチレン樹脂によって構成されている。ポリスチレンは、熱可塑性樹脂であって成形加工性（射出、押出し、発泡成形等）に優れており、さらに剛性が高いだけでなく寸法精度にも優れている。
【００２４】
上述した外板７、内板８、内装部材９、樹脂製縁材１０により構成された外装パネル３は、内装部材９が発泡紙により構成され、さらに樹脂製縁材１０がポリスチレンにより構成されているので、燃焼処理時にフロンやダイオキシン等の有害物質を発生することがなく、処理負担の軽減を図ることが可能となる。
【００２５】
また、発泡紙には多くの空気が含まれているため、グラスウールを用いた断熱材よりも断熱性能に優れ、ウレタンを用いた断熱材とほぼ同等の断熱性能を確保することができる。
【００２６】
さらに、発泡紙を用いることによってリサイクル性が高くなり、再生紙を用いて発泡紙を形成することによって再資源の有効利用を促進することが可能となる。
【００２７】
また、高い剛性を備えたポリスチレンよりなる樹脂製縁材１０が内装部材９の周縁部に設置され、発泡紙に欠如する曲げ強度、圧縮強度を補完することができるので、発泡紙が充填された外装パネル３の強度を十分に確保することができるとともに、外板７と内板８と間に充填される発泡紙の充填空間を、スペーサー等を用いることなく容易に確保することができる。
【００２８】
以上、本発明に係る空調装置１の外装パネル３を、図面を用いて説明したが、本発明に係る空調装置は上述したものに限定されるものではない。例えば、上記実施の形態においては、樹脂製縁材１０としてポリスチレン樹脂により構成された場合についての説明を行ったが、樹脂製縁材１０は上述したものに限定されるものではなく、十分な剛性と燃焼処理時に有害物質を発生しないものであるならば、他の樹脂によって構成されているものであってもよい。
【図面の簡単な説明】
【００２９】
【図１】本発明に係る空調装置の外観を示した斜視図である。
【図２】本発明に係る外装パネルを示した断面図である。
【図３】本発明に係る外装パネルに充填される発泡紙を示した斜視図である。
【符号の説明】
【００３０】
１  空調装置
２  ケーシング
３  外装パネル
７  外板（板材）
８  内板（板材）
９  内装部材（発泡紙）
１０  樹脂製縁材
１１  気泡
【図１】
2006242398.tif 000004
【図２】
2006242398.tif 000005
【図３】
2006242398.tif 000006